(57)【特許請求の範囲】
【請求項１】
光軸形成用の窓部を有する長尺筒状の金属製筐体と、
前記筐体内に収容された長尺筒状の樹脂製透光性部材と、
前記透光性部材内に収容され、複数の光軸を形成するための光学ユニットと、
前記筐体の端部に取り付けられ光軸形成可能な蓋体と
を備えた多光軸光電センサであって、
前記蓋体は、前記透光性部材の開口端部から突出する前記光学ユニットを光軸形成可能に収容するとともに該透光性部材の開口端部を封止するカップ状の樹脂製封止部材と、該封止部材が前記透光性部材を封止した状態で該封止部材に被さるように前記筐体の端部に固定され前記筐体の長手方向への前記封止部材の抜け出しを防止する金属製端末部材とからなり、
前記長手方向における前記金属製端末部材と前記樹脂製封止部材との間には、弾性部材が介装され、
前記筐体に固定された前記端末部材が前記弾性部材を介して前記樹脂製封止部材を前記長手方向に押圧することで、前記透光性部材の開口端部が水密に封止されることを特徴とする多光軸光電センサ。
【請求項２】
請求項１に記載の多光軸光電センサにおいて、
前記樹脂製封止部材は、前記透光性部材の開口端部を封止する長手方向一端部と長手方向他端部との間において、前記他端部の断面形状が前記一端部の断面形状よりも小さくなるような段差部を有するとともに、前記金属製端末部材は前記段差部に対応する形状を有し、
前記段差部における前記樹脂製封止部材と前記金属製端末部材との間に前記弾性部材が介装されたことを特徴とする多光軸光電センサ。
【請求項３】
請求項１又は２に記載の多光軸光電センサにおいて、
前記樹脂製透光性部材の開口端部と前記樹脂製封止部材との間には、該透光性部材の開口端部を封止するための環状のシール部材が介装されたことを特徴とする多光軸光電センサ。
【請求項４】
請求項３に記載の多光軸光電センサにおいて、
前記シール部材は、前記長手方向と直交する径方向において前記樹脂製透光性部材の開口端部と前記樹脂製封止部材との間に介装されたことを特徴とする多光軸光電センサ。
【発明の詳細な説明】
【技術分野】
【０００１】
本発明は、侵入物を検出するライトカーテン等に用いられる多光軸光電センサに関するものである。
【背景技術】
【０００２】
従来、多光軸光電センサにおいて、複数の光軸を形成する光学ユニットを内部に備えた長尺筒状の透光性部材が、光軸形成用の窓部を有する長尺筒状の金属製筐体内に収容されて構成されるものがある（例えば特許文献１参照）。その金属製筐体の端部には、透光性部材の開口端部を水密に封止するための蓋体が固定されており、透光性部材内に液体が侵入して光学ユニットに付着することが防止される構成としながらも、透光性部材の外側を覆う金属製筐体により強度が向上する構造となっている。
【０００３】
ところで、上記のような多光軸光電センサでは、蓋体には光学ユニットと電気的に接続されるコネクタ部材が設けられているため、蓋体が大型化してしまう。そのため、多光軸光電センサを長手方向に直線状に並設して使用する場合等においては、センサ端部の蓋体同士が近接する部分に光軸が形成されない領域が広く存在してしまう虞がある。
【０００４】
そこで、この問題を解決するために、近年の多光軸光電センサでは、透光性部材の開口端部に取り付けられ該透光性部材を水密に封止するカップ状の樹脂製封止部材と、金属製筐体の端部に固定され封止部材の抜け出しを防止するための金属製端末部材とから蓋体が構成されるものがある。このような多光軸光電センサでは、透光性部材の開口端部から突出する光学ユニットの一部が封止部材内に光軸形成可能に収容され、金属製端末部材には光軸形成用の窓部が形成されている。これにより、蓋体部分にも光軸が形成されるようになっている。
【特許文献１】特開２００１−１５５５９７号公報
【発明の開示】
【発明が解決しようとする課題】
【０００５】
ところで、上記のような多光軸光電センサにおいて、金属製端末部材と樹脂製封止部材との間には、加工寸法差や金属と樹脂との膨張係数の違いによって生じる熱伸縮時の寸法差を許容するための隙間が設定されている。そのため、透光性部材及び樹脂製封止部材に熱膨張が生じたときに、封止部材が透光性部材から抜け出る方向に移動してしまい、該透光性部材と封止部材との間の水密性が保たれなくなる虞があった。
【０００６】
本発明は、上記課題を解決するためになされたものであって、その目的は、透光性部材と樹脂製封止部材との間の水密性を確実に保持することができる多光軸光電センサを提供することにある。
【課題を解決するための手段】
【０００７】
上記課題を解決するために、請求項１に記載の発明は、光軸形成用の窓部を有する長尺筒状の金属製筐体と、前記筐体内に収容された長尺筒状の樹脂製透光性部材と、前記透光性部材内に収容され、複数の光軸を形成するための光学ユニットと、前記筐体の端部に取り付けられ光軸形成可能な蓋体とを備えた多光軸光電センサであって、前記蓋体は、前記透光性部材の開口端部から突出する前記光学ユニットを光軸形成可能に収容するとともに該透光性部材の開口端部を封止するカップ状の樹脂製封止部材と、該封止部材が前記透光性部材を封止した状態で該封止部材に被さるように前記筐体の端部に固定され前記筐体の長手方向への前記封止部材の抜け出しを防止する金属製端末部材とからなり、前記長手方向における前記金属製端末部材と前記樹脂製封止部材との間には、弾性部材が介装され、前記筐体に固定された前記端末部材が前記弾性部材を介して前記樹脂製封止部材を前記長手方向に押圧することで、前記透光性部材の開口端部が水密に封止されることをその要旨とする。
【０００８】
この発明では、透光性部材の開口端部から突出する光学ユニットを光軸形成可能に収容するとともに該透光性部材の開口端部を封止するカップ状の樹脂製封止部材と、該封止部材が透光性部材を封止した状態で該封止部材に被さるように筐体の端部に固定され長手方向への封止部材の抜け出しを防止する金属製端末部材とから蓋体が構成され、長手方向における金属製端末部材と樹脂製封止部材との間には弾性部材が介装され、筐体に固定された端末部材が弾性部材を介して樹脂製封止部材を長手方向に押圧することで、透光性部材の開口端部が水密に封止される。金属製端末部材と樹脂製封止部材との間における加工寸法差や熱伸縮時の寸法差を許容するための隙間によって封止部材は長手方向に移動しようとするが、端末部材と封止部材との間に介装された弾性部材により封止部材は透光性部材側に押圧されるため、封止部材の長手方向の移動が抑制され、その結果、封止部材と透光性部材の開口端部との位置ずれを抑制できる。これにより、透光性部材と樹脂製封止部材との間の水密性を確実に保持することができる。また、金属製端末部材と樹脂製封止部材との間の隙間に、金属製筐体及び金属製端末部材と、樹脂製透光性部材及び樹脂製封止部材との加工寸法差及び熱膨張係数の違いによって生じる熱伸縮時の寸法差の吸収に影響を与えないようにすることができる。
【０００９】
請求項２に記載の発明は、請求項１に記載の多光軸光電センサにおいて、前記樹脂製封止部材は、前記透光性部材の開口端部を封止する長手方向一端部と長手方向他端部との間において、前記他端部の断面形状が前記一端部の断面形状よりも小さくなるような段差部を有するとともに、前記金属製端末部材は前記段差部に対応する形状を有し、前記段差部における前記樹脂製封止部材と前記金属製端末部材との間に前記弾性部材が介装されたことをその要旨とする。
【００１０】
この発明では、樹脂製封止部材は、透光性部材の開口端部を封止する長手方向一端部と長手方向他端部との間において、該他端部の断面形状が一端部の断面形状よりも小さくなるような段差部を有するとともに、金属製端末部材は段差部に対応する形状を有し、段差部における樹脂製封止部材と金属製端末部材との間に弾性部材が介装される。そのため、多光軸光電センサの長手方向寸法を維持しつつ、長手方向における金属製端末部材と樹脂製封止部材との間に弾性部材を介装させることができる。
【００１１】
請求項３に記載の発明は、請求項１又は２に記載の多光軸光電センサにおいて、前記樹脂製透光性部材の開口端部と前記樹脂製封止部材との間には、該透光性部材の開口端部を封止するための環状のシール部材が介装されたことをその要旨とする。
【００１２】
この発明では、樹脂製透光性部材の開口端部と樹脂製封止部材との間に該透光性部材の開口端部を封止するための環状のシール部材が介装されるため、透光性部材の開口端部の密閉性を確実に維持できる。
【００１３】
請求項４に記載の発明は、請求項３に記載の多光軸光電センサにおいて、前記シール部材は、前記長手方向と直交する径方向において前記樹脂製透光性部材の開口端部と前記樹脂製封止部材との間に介装されたことをその要旨とする。
【００１４】
この発明では、シール部材は、長手方向と直交する径方向において樹脂製透光性部材の開口端部と樹脂製封止部材との間に介装されるため、樹脂製の透光性部材及び封止部材に熱膨張が生じても、その透光性部材及び封止部材の間にクリアランスが形成されることを抑制でき、透光性部材の開口端部の密閉性をより確実に維持できる。
【発明の効果】
【００１５】
従って、上記記載の発明によれば、透光性部材と樹脂製封止部材との間の水密性を確実に保持することができる。
【発明を実施するための最良の形態】
【００１６】
以下、本発明を具体化した一実施形態を図面に従って説明する。
図１に本実施形態の多光軸光電センサ１（投光器）を示す。多光軸光電センサ１は、投光器と受光器が互いに対向するように配置され、投光器と受光器との間に侵入して光軸を遮光する物体を検出するものである。尚、受光器は、設けられる光電素子等、若干の違いはあるが投光器と略同一構成であるので、その説明を省略する。
【００１７】
図１及び図２に示すように、多光軸光電センサ１は、金属製筐体としての保護ケース１１、保護ケース１１の内側に収容される樹脂製透光性部材としての透光ケース１２、透光ケース１２内に収容される検出装置本体１３、及び長手方向両端部にそれぞれ取り付けられる蓋体１４を備え、全体として長尺状をなしている。
【００１８】
アルミ等の金属材料からなる保護ケース１１は長尺筒状をなすとともに、その上部に光軸形成用の窓部１１ａが形成された断面Ｃ字状をなしている。保護ケース１１の両端面における各角部は、蓋体１４を取り付けるためのケース側固定部１１ｂとなっている（図２参照）。
【００１９】
透光性を有する樹脂材料からなる透光ケース１２は、保護ケース１１よりも若干長い長尺筒状に形成され、その両端部が保護ケース１１の両端から若干突出するように該保護ケース１１内に収容される。透光ケース１２は、その上部が保護ケース１１の窓部１１ａから露出しており、その露出部分には光軸が形成されるようになっている。
【００２０】
透光ケース１２内に収容される検出装置本体１３は、金属材料からなるシールドケース２１と、該シールドケース２１内に収容固定される３つの光学ユニット２２とからなる。
透光ケース１２の内側に配置されるシールドケース２１は、該透光ケース１２と同程度の長さを有する長尺状をなし、その両端面が透光ケース１２の両端面と揃うように収容される。シールドケース２１は、その上部に光軸形成用の開口２１ａが形成された断面Ｃ字状をなしている。
【００２１】
シールドケース２１の内側にて直列配置される各光学ユニット２２は、断面凸形状をなし、その内部には複数の投光素子２３（光学素子）が一列状に配設されている（図３参照）。各光学ユニット２２の凸部２４上面には、各投光素子２３からの光を出射する投光部２５が設けられており、直列配置された各光学ユニット２２の各投光部２５によって直線状に並ぶ複数の光軸が形成されるようになっている。尚、各光学ユニット２２は隣接するもの同士で電気的に接続可能となっている。また、各光学ユニット２２の凸部２４側面には、各光学ユニット２２をシールドケース２１に固定するための取付部２６が設けられ、該取付部２６とシールドケース２１とがネジ２７により締結固定される。
【００２２】
このような検出装置本体１３において、シールドケース２１はその長手方向寸法が光学ユニット２２を直列配置した全長よりも短く形成されており、該３つの光学ユニット２２のうち両端に配置されるものは、その一部がシールドケース２１の長手方向両端からそれぞれ突出するようになっている。即ち、両端に配置される光学ユニット２２の一部は、前記透光ケース１２両端の開口部（開口端部１２ａ）から突出するように構成されている。
【００２３】
多光軸光電センサ１の長手方向両端部にそれぞれ配置される蓋体１４は、透光ケース１２の端部を封止する樹脂製封止部材としてのキャップ３１と、該キャップ３１が透光ケース１２を封止した状態でキャップ３１に被さるように取り付けられ保護ケース１１の端部に固定される金属製端末部材としてのキャップカバー３２とからなる。
【００２４】
透光性を有する樹脂材料からなるキャップ３１は、光学ユニット２２を収容する光学ユニット収容部３１ａと、透光ケース１２の開口端部１２ａが嵌着される嵌着部３１ｂとを有し、全体としてカップ状をなしている。
【００２５】
光学ユニット収容部３１ａは光学ユニット２２に凸形状に対応する形状をなし、図３に示すように、該収容部３１ａには光学ユニット２２における透光ケース１２からの開口端部１２ａから突出する部分（突出部２２ａ）が収容されている。尚、光学ユニット収容部３１ａの底部３１ｃは光学ユニット２２の突出部２２ａ先端と当接している。光学ユニット収容部３１ａの開口端部３１ｄには、その幅方向両側から外側に向かってそれぞれ突出する段差部３１ｅが形成されており、光学ユニット収容部３１ａの開口端部３１ｄから該段差部３１ｅを経て前記嵌着部３１ｂに移行している。換言すれば、段差部３１ｅは、キャップ３１における透光ケース１２を封止する長手方向一端部（開口端部）と、その長手方向他端部（底部３１ｃ）との間に形成されており、その他端部の断面形状（長手方向の軸線と直交する断面形状）がキャップ３１の一端部のものよりも小さくなるような段差形状を有している。尚、各段差部３１ｅは多光軸光電センサ１の長手方向の軸線と直交して延びるとともに、上部に向かうほど先細となる形状をなしている。
【００２６】
キャップ３１と透光ケース１２との間には、長手方向と直交する径方向において環状のシール部材３３が介装されており、このシール部材３３によって透光ケース１２の開口端部１２ａは封止されている。詳述すると、嵌着部３１ｂは、透光ケース１２の開口端部１２ａより一回り大きいカップ状をなし、その開口端部は保護ケース１１の開口端部と当接している。この嵌着部３１ｂの内周面と透光ケース１２の開口端部１２ａの外周面との間には環状のシール部材３３が介装されている。即ち、シール部材３３は長手方向と直交する径方向において透光ケース１２の開口端部１２ａとキャップ３１との間に介装されている。シール部材３３は開口端部１２ａの外周面と嵌着部３１ｂの内周面とにそれぞれ密着しており、このシール部材３３により透光ケース１２及びキャップ３１の連通する内部空間は封止されている。
【００２７】
また、光学ユニット収容部３１ａの側部にはコネクタ装着部３１ｆが形成されている。コネクタ装着部３１ｆは、その上部がキャップカバー３２から露出するように構成されており、光学ユニット２２と電気的に接続されるコネクタ部材３４が組み付け可能となっている。
【００２８】
図１及び図２に示すように、アルミ合金等の金属材料からなるキャップカバー３２は、上記したようなキャップ３１を部分的に覆う構成をなしている。キャップカバー３２の上部に形成された光軸形成用の窓部３２ａからはキャップ３１の上面が露出しており、その露出部分にもキャップ３１内部の投光部２５（光学ユニット２２）が出射する光によって光軸が形成されるようになっている。また、キャップカバー３２は前記保護ケース１１のケース側固定部１１ｂにそれぞれ対応して設けられたキャップ側固定部３２ｂを有し、該固定部３２ｂにて保護ケース１１に固定されるようになっている。尚、キャップ３１の嵌着部３１ｂはキャップカバー３２の各固定部３２ｂ間において露出する構成となっている。
【００２９】
キャップカバー３２には、図３に示すように、キャップ３１の光学ユニット収容部３１ａを支持する支持部３２ｃが形成され、該支持部３２ｃの保護ケース１１側の端部には、キャップ３１の各段差部３１ｅとそれぞれ長手方向に対向する対向部３２ｄが形成されている。この各対向部３２ｄはキャップ３１の段差部３１ｅと平行をなしている。また、各対向部３２ｄの外縁には保護ケース１１側に突出する突出部３２ｅが形成されている。尚、その突出部３２ｅ先端とキャップ３１の嵌着部３１ｂとの間や、前記支持部３２ｃの底部とキャップ３１の底部３１ｃとの間等のキャップ３１及びキャップカバー３２間には、加工寸法差や熱伸縮時の寸法差を許容するための隙間が設定されている。
【００３０】
上記したような各段差部３１ｅにおけるキャップ３１とキャップカバー３２の各対向部３２ｄとの間には、弾性部材としてのゴム４０が介装されている。ゴム４０は板状をなすとともに、段差部３１ｅと対応する先細形状をなしており、各段差部３１ｅ及び各対向部３２ｄにそれぞれ当接している。尚、ゴム４０は多光軸光電センサ１における長手方向の軸線に対して線対称に設けられている。また、このゴム４０はキャップカバー３２の対向部３２ｄによって位置決めされるとともに、幅方向へのズレが防止されている。この弾性部材としてのゴム４０は段差部３１ｅ以外の部分に設けてもよく、例えばキャップ３１の底部３１ｃとキャップカバー３２の底部との間に設けてもよいが、この底部間に設ける構成ではゴム４０の厚みによって最端部の光軸（投光素子２３）から多光軸光電センサ１の端面（キャップカバー３２の底部）までの距離が長くなってしまう。それを防ぐために本実施形態では、キャップ３１の開口端部から底部３１ｃまでの間にゴム４０を設けている。また、本実施形態では、ゴム４０は光学ユニット２２（光軸）の幅方向両側に設けられる構成となっているが、ゴム４０を光学ユニット２２の上側や下側に配置する構成でもよい。尚、ゴム４０を光学ユニット２２の上側に配置する構成の場合、ゴム４０は光軸を遮らない場所に設けられる。
【００３１】
上記のような多光軸光電センサ１では、保護ケース１１に固定されたキャップカバー３２がゴム４０を介してキャップ３１を長手方向（キャップ３１側）に押圧することで、透光ケース１２の開口端部１２ａが水密に封止されるようになっている。また、キャップ３１とキャップカバー３２との間の隙間によりキャップ３１は長手方向に移動しようとするが、キャップ３１の各段差部３１ｅとキャップカバー３２の各対向部３２ｄとの間の隙間に介装されたゴム４０がキャップ３１を透光ケース１２側に押圧するようになっている。そのため、キャップ３１の抜け出し方向（長手方向）の移動が抑制され、その結果、キャップ３１と透光ケース１２の開口端部１２ａとの位置ずれが抑制される。これにより、透光ケース１２とキャップ３１との間の水密性が確実に保持されるようになっている。また、キャップ３１とキャップカバー３２との間に設けられた弾性部材としてのゴム４０は、金属製の保護ケース１１及びキャップカバー３２と、樹脂製の透光ケース１２及びキャップ３１との加工寸法差及び熱膨張係数の違いによって生じる熱伸縮時の寸法差の吸収に影響を与えないようになっている。
【００３２】
次に、本実施形態の特徴的な作用効果を記載する。
（１）本実施形態の多光軸光電センサ１では、蓋体１４は、透光性部材としての透光ケース１２の開口端部１２ａから突出する光学ユニット２２を光軸形成可能に収容するとともにその開口端部１２ａを封止するカップ状の樹脂製封止部材としてのキャップ３１と、該キャップ３１が透光ケース１２を封止した状態でキャップ３１に被さるように保護ケース１１の端部に固定され長手方向へのキャップ３１の抜け出しを防止する金属製端末部材としてのキャップカバー３２とから構成される。そして、長手方向におけるキャップカバー３２とキャップ３１との間には、弾性部材としてのゴム４０が介装され、保護ケース１１に固定されたキャップカバー３２がゴム４０を介してキャップ３１を長手方向（キャップ３１側）に押圧することで、透光ケース１２の開口端部１２ａが水密に封止されるようになっている。キャップ３１とキャップカバー３２との間における加工寸法差及び熱伸縮時の寸法差を許容するための隙間によりキャップ３１は長手方向に移動しようとするが、ゴム４０によりキャップ３１は透光ケース１２側に押圧されるので、キャップ３１の抜け出し方向（長手方向）の移動が抑制され、その結果、キャップ３１と透光ケース１２の開口端部１２ａとの位置ずれを抑制できる。これにより、透光ケース１２とキャップ３１との間の水密性を確実に保持することができる。また、金属製の保護ケース１１及びキャップカバー３２と、樹脂製の透光ケース１２及びキャップ３１との加工寸法差及び熱膨張係数の違いによって生じる熱伸縮時の寸法差の吸収に影響を与えないようにすることができる。
【００３３】
（２）本実施形態では、キャップ３１は、透光ケース１２を封止する長手方向一端部（開口端部）と長手方向他端部（底部３１ｃ）との間において、前記他端部の断面形状が前記一端部の断面形状よりも小さくなるような段差部３１ｅを有するとともに、キャップカバー３２は段差部３１ｅに対応する形状を有し、段差部３１ｅにおけるキャップ３１とキャップカバー３２との間にゴム４０が介装される。そのため、多光軸光電センサ１の長手方向寸法を維持しつつ、長手方向におけるキャップカバー３２とキャップ３１との間にゴム４０を介装させることができる。
【００３４】
（３）本実施形態では、透光ケース１２の開口端部１２ａとキャップ３１との間に該透光ケース１２の開口端部１２ａを封止するための環状のシール部材３３が介装されるため、透光ケース１２の開口端部１２ａの密閉性を確実に維持できる。
【００３５】
（４）本実施形態では、シール部材３３は、長手方向と直交する径方向において透光ケース１２の開口端部１２ａとキャップ３１との間に介装されるため、樹脂製の透光ケース１２及びキャップ３１に熱膨張が生じても、その透光ケース１２及びキャップ３１の間にクリアランスが形成されることを抑制でき、透光ケース１２の開口端部１２ａの密閉性をより確実に維持できる。
【００３６】
尚、本発明の実施形態は、以下のように変更してもよい。
・上記実施形態では、弾性部材としてゴム４０が用いられたが、特にこれに限定されるものではなく、例えばエラストマー、コイルバネ、板バネ等を用いてもよい。
【００３７】
・上記実施形態では、ゴム４０はキャップ３１の各段差部３１ｅとキャップカバー３２の各対向部３２ｄとの間に介装されたが、特にこれに限定されるものではなく、例えばコネクタ装着部３１ｆがキャップカバー３２と長手方向に対向する対向部に介装してもよい。また、キャップ３１の底部３１ｃとキャップカバー３２との間に設けてもよい。
【００３８】
・上記実施形態では、光学ユニット２２は３つ設けられたが、特にこれに限定されるものではなく、例えば１つ又は２つでもよく、また、４つ以上でもよい。
・上記実施形態では、キャップ３１には両端の光学ユニット２２の一部がそれぞれ収容されたが、両端の光学ユニット２２全体を収容する構成としてもよい。
【００３９】
・上記実施形態では、保護ケース１１及び透光ケース１２は１つのみ設けられたが、特にこれに限定されるものではなく、２つ以上設けてもよい。
・上記実施形態では、嵌着部３１ｂの開口端部は保護ケース１１の開口端部と当接するように構成されたが、キャップカバー３２の固定部３２ｂから嵌着部３１ｂの保護ケース１１側にフック状に延びるように形成された延設部と当接するように構成してもよい。
【００４０】
・上記実施形態では、特に言及しなかったが、キャップ３１（光学ユニット収容部３１ａ）の底部３１ｃはその端部全体がキャップカバー３２（支持部３２ｃ）に覆われるように構成されたが、底部３１ｃの端面の一部が露出するように構成してもよい。
【００４１】
・上記実施形態では、保護ケース１１及び透光ケース１２は両端部が開口する筒状に形成され、該両端部にそれぞれ蓋体１４が設けられたが、一端が開口する有底筒状をなすように保護ケース１１及び透光ケース１２を形成し、その開口端部に蓋体１４を設けてもよい。
【００４２】
・上記実施形態では、シール部材３３は長手方向と直交する径方向において透光ケース１２の開口端部１２ａとキャップ３１との間に介装されたが、長手方向において介装してもよい。
【図面の簡単な説明】
【００４３】
【図１】本実施形態における多光軸光電センサの斜視図。
【図２】多光軸光電センサの分解斜視図。
【図３】多光軸光電センサの端部を示す断面図。
【符号の説明】
【００４４】
１…多光軸光電センサ、１１…金属製筐体としての保護ケース、１１ａ…保護ケースの窓部、１２…樹脂製透光性部材としての透光ケース、１２ａ…透光ケースの開口端部、１４…蓋体、２２…光学ユニット、３１…樹脂製封止部材としてのキャップ、３１ｃ…キャップ（光学ユニット収容部）の底部、３１ｅ…段差部、３２…金属製端末部材としてのキャップカバー、３３…シール部材、４０…弾性部材としてのゴム。
【図１】
0005046297.tif 000002
【図２】
0005046297.tif 000003
【図３】
0005046297.tif 000004